(57)【特許請求の範囲】
【請求項１】
充放電特性が異なる二種類の負極材料の一方を集電体の一側面に、他方を他側面に塗布された負極と、
該負極の一側面および他側面に電解液を介して対向配置された各一の正極と、
該各一の正極および前記負極間に充電用整流器を介して充電電圧を供給する各一の電源と、
前記各一の正極に共通接続された正の出力端子と、
前記負極に放電用整流器を介して接続され、前記正の出力端子との間に負荷を接続するための負の出力端子とを備えたことを特徴とするリチウムイオン二次電池の充放電回路。
【請求項２】
前記二種類の負極材料は、一方が黒鉛であり、他方がハードカーボンもしくは低温焼成炭素などの炭素材料、リチウムと合金可能な金属もしくはその化合物、または非結晶質酸化物であることを特徴とする請求項１記載のリチウムイオン二次電池の充放電回路。
【発明の詳細な説明】
【０００１】
【発明の属する技術分野】
本発明は、モバイル機器や電気自動車などに利用するリチウムイオン二次電池およびその充放電回路に関する。
【０００２】
【従来の技術】
近年の急速なモバイル機器の進歩、および将来の電気自動車に対応するため、リチウムイオン二次電池の高容量化が急務となっている。現在市販されているリチウムイオン二次電池の多くは、図４の曲線ａに示すように、負極に低い放電電圧を保つ黒鉛系炭素材料が用いられており、その放電容量をいかに図４の曲線ｃに示すような放電容量の理論値３７２ｍＡｈ／ｇに近づけるかが最も注目されている点である。一方、ハードカーボン（ｈａｒｄ  ｃａｂｏｎ）、低温焼成炭素などの炭素材料、金属酸化物および非晶質酸化物等は、５００ｍＡｈ／ｇを超える放電容量を持つものもある。しかし、放電電圧が図４の曲線ｂに示すように平坦でないため、携帯電話やノート型パーソナルコンピュータなどのように、使用電圧範囲が狭い機器に使用することができず、実用化が難しい。
【０００３】
一方、近年では、黒鉛とハードカーボンもしくは非晶質炭素の両者の長所を得る目的で、これらを混合して負活性物質とする試みが行われている。
【０００４】
【発明が解決しようとする課題】
しかしながら、このような単純な混合では、図４の曲線ｄに示すように、むしろ両者の短所のみが放電に作用してしまい、高容量でかつ低い電圧を保ち続けることができない。その理由は、黒鉛とハードカーボンや非晶質酸化物のような非黒鉛活物質材料を単純に混合して作った電極（負極）を用いたリチウムイオン電池の充放電のメカニズムが、以下に述べるように考えられるからである。
【０００５】
すなわち、この電極の系は、充放電特性の異なる二つの電池を並列に接続した場合と同一であり、充電開始直後は黒鉛にもリチウムイオンがとり込まれるものの、それ以降はゆるやかに充電を行う非黒鉛活物質材料にのみリチウムイオンが入り込み、黒鉛には殆どとり込まれない。このため、放電時にすぐに電圧が上昇して、活物質における非黒鉛の重量比分の放電が行われると、その放電がすぐに終了してしまい、結果的に単体の材料で得られる容量を下回ってしまう。
【０００６】
そこで、このような不都合を解決するために、充電時には、黒鉛と非黒鉛材料を直列配置することで、これらの両方に同一レベルの電流を流し、電圧はこれらの黒鉛および非黒鉛材料の内部抵抗に応じて分圧したものとし、一方、放電時には接続された両者の重量比、放電電圧比に応じた放電カーブが得られるようにする方法が考えられるものの、従来のリチウムイオン電池では、その構造上、安定した放電特性の実現が不可能である。
【０００７】
本発明は前記問題を解決するものであり、黒鉛および非黒鉛材料の長所のみを引き出した負極構造を採用することにより、高容量で、電圧平坦性の高い放電特性が得られるリチウムイオン二次電池およびその充放電回路を提供することを目的とする。
【０００８】
【課題を解決するための手段】
前記目的達成のために、請求項１記載の発明は、充放電特性が異なる二種類の負極材料の一方を集電体の一側面に、他方を他側面に塗布された負極と、該負極の一側面および他側面に電解液を介して対向配置された各一の正極と、該各一の正極および前記負極間に充電用整流器を介して充電電圧を供給する各一の電源と、前記各一の正極に共通接続された正の出力端子と、前記負極に放電用整流器を介して接続され、前記正の出力端子との間に負荷を接続するための負の出力端子とを備えたことを特徴とする。
請求項２記載の発明は、請求項１記載のリチウムイオン二次電池の充放電回路において、前記二種類の負極材料は、一方が黒鉛であり、他方がハードカーボンもしくは低温焼成炭素などの炭素材料、リチウムと合金可能な金属もしくはその化合物、または非結晶質酸化物であることを特徴とする。
【００１０】
【発明の実施の形態】
以下、本発明の実施の一形態について図を用いて説明する。図１は本発明のリチウムイオン二次電池およびこれの充放電回路を示し、同図において、１は負極でありこれが集電体１ａの一側面に天然黒鉛、人造黒鉛、熱分解黒鉛などの黒鉛１ｂが塗布され、かつ他側面にハードカーボン等の非黒鉛材料１ｃが塗布されたものからなる。また、この負極１の一側面および他側面に対向する位置に、例えばコバルト酸リチウムからなる正極２、３がそれぞれ配置されている。
【００１１】
そして、これらの負極１および正極２、３は、例えばリチウム塩を有機溶媒に溶かした電解液としての有機電解液に浸漬されている。従って、充電時には、正極２、３からリチウムがイオンとして電解液中に溶解し、負極１の黒鉛層間および非黒鉛材料に入り、一方、放電ではこの逆の反応が起こる。
【００１２】
また、正極２、３のそれぞれには、各一の第１の充電用整流器４、５を介して充電電圧を供給するための正電位の電源端子６、７が接続されている。これらの電源端子６、７には、これらを接続する線路とともに充電電圧供給用の電源８、９の正電位側が接続されている。これらの電源８、９の負電位側が負電位の電源端子１０に共通接続されている。さらに、第１の充電用整流器４、５のそれぞれには、第１の放電用整流器１１、１２を介して、負荷を接続するための正の出力端子１３が共通に接続されている。
【００１３】
一方、前記負極１を構成する集電体１ａは、第２の充電用整流器１４を介して、前記８、９の負電位側の電源端子１０に接続されるとともに、第２の放電用整流器１５を介して、前記負荷を接続するための負の出力端子１６に接続されている。また図２および図３はこのような充放電回路の充電時および放電時の等価回路を示す。
【００１４】
次に動作を説明する。まず、充電時には、それぞれ独立に設けられた電源８、９から第２の充電用整流器１４および第１の充電用整流器４、５を介して、負極１および正極２、３間に充電電流が流れる。このため、正極２、３からリチウムがイオンとして有機電解液中に溶解し、負極１の黒鉛１ｂ層間および非黒鉛材料１ｃ層間に入り込む。従って、図２に示すように、正極２、３および負極１間には、それぞれ独立した電源８、９から充電が行われる。
【００１５】
一方、放電時には、第１の充放電用整流器４、５および第２の充放電用整流器１４によって、各電源８、９が負極１および正極２、３から切り離される。このため、正極２、３および負極１からなる二つの電池は、図３に示すように、互いに並列接続された配置となり、黒鉛１ｂおよび非黒鉛材料１ｃの重量比に応じた放電特性が得られる。すなわち、従来のような黒鉛単独で形成される負極に比較して、この黒鉛１ｂおよび非黒鉛材料１ｃからなる負極１は、それぞれの長所を持つ、高容量でしかも電圧平坦性の高い放電特性を具現することとなる。
【００１６】
上記実施例においては、集電体１ａの一側面に黒鉛１ｂ、他側面に非黒鉛材料１ｃを塗布した場合について説明したが、この非黒鉛材料１ｃは、低温焼成炭素などの炭素材料、リチウムと合金可能な金属もしくはその化合物、または非結晶質酸化物であればよい。
【００１７】
【発明の効果】
以上のように、本発明によれば、充放電特性が異なる二種類の負極材料の一方を集電体の一側面に、他方を他側面に塗布された負極を有し、該負極の一側面および他側面に電解液を介して各一の正極を対向配置するようにしたので、従来の黒鉛のみを使用した負極に比べて高容量で、電圧平坦性の高い放電特性を得ることができるという効果が得られる。
【００１８】
また、本発明によれば、充放電特性が異なる二種類の負極材料の一方を集電体の一側面に、他方を他側面に塗布された負極と、該負極の一側面および他側面に電解液を介して対向配置された各一の正極と、該各一の正極および前記負極間に充電用整流器を介して充電電圧を供給する各一の電源と、前記各一の正極に共通接続された正の出力端子とを有し、前記負極に、放電用整流器を介して前記正の出力端子との間に負荷を接続するための負の出力端子を接続するようにしたので、負極および正極間への充電効率を高めることができるとともに、リチウム蓄電池本来の高エネルギかつ高放電容量での放電を、簡単な回路構成にて容易に実現できるという効果が得られる。
【図面の簡単な説明】
【図１】  本発明の実施の一形態によるリチウムイオン二次電池の充放電回路を示す回路図である。
【図２】  図１に示す充放電回路の充電時における等価回路図である。
【図３】  図１に示す充放電回路の放電時における等価回路図である。
【図４】  従来のリチウムイオン二次電池の充放電特性を説明するためのグラフである。
【符号の説明】
１  負極
１ａ  集電体
１ｂ  黒鉛
１ｃ  非黒鉛材料
２、３  正極
４、５、１４  充電用整流器
８、９  電源
１１、１２、１５  放電用整流器
１３  正の出力端子
１６  負の出力端子
【図１】
0003949334.tif 000002
【図２】
0003949334.tif 000003
【図３】
0003949334.tif 000004
【図４】
0003949334.tif 000005